(57)【要約】【課題】複数の支柱を用いることなく、一本の支柱でも花茎の生長力により回転するのを防ぐことができ、水苔等の植え込み用土への差し込み作業も容易な支柱の提供。【解決手段】本考案の花卉栽培用支柱１０は、植え込み用土への差し込み部には、直線状先端部１１とジグザグ状の折り曲げ部１２が設けられ、該折り曲げ部において折り曲げ方向と支柱中心線との角度αが２０〜７５°の範囲であることを特徴とする。【選択図】図２
0003177547.tif 000002
【実用新案登録請求の範囲】
【請求項１】
植え込み用土への差し込み部は、直線状先端部とジグザグ状の折り曲げ部が設けられ、該折り曲げ部の折り曲げ方向と支柱中心線方向との角度αが２０〜７５°の範囲となっている花卉栽培用支柱。
【請求項２】
角度αが３０〜６０°であることを特徴とする請求項1に記載の花卉栽培用支柱。
【請求項３】
ジグザグ状の折り曲げ部の屈曲点と支柱中心線との距離Ｌが５〜３０ｍｍであることを特徴とする請求項１または２に記載の花卉栽培用支柱。
【請求項４】
ジグザグ状の折り曲げ部の屈曲点が直線状先端部より離れるに従い、屈曲点と支柱中心線との距離Ｌが大きくなっていることを特徴とする請求項３に記載の花卉栽培用支柱。
【考案の詳細な説明】
【技術分野】
【０００１】
本考案は、洋ラン等の花卉を鉢植えで栽培するのに際して、花茎を支持し、観賞用に整形するための支柱に関する。
【背景技術】
【０００２】
鉢植えで栽培された胡蝶蘭などの洋ランは、支柱を用いて花茎を支持したり、整形したりすることで、全体の姿を観賞に堪えるように体裁よく整形され、また輸送などによる外力を受けても、花茎の損傷や変形を防ぎ、整形された姿を維持している。この支柱による支持や整形は、鉢植えの商品として、十分に成長してから行われるだけではなく、花茎の生長と共に支柱に結び付けて少しずつ誘引しながら整形し、生長の最終段階にて全体の形を整えることで行われている。
【０００３】
鉢植え栽培に用いられるこのような支柱は、通常、樹脂被覆鉄線が用いられ、支柱の根元を鉢内の水苔等の植え込み用土に差し込み、立設した支柱に洋ランの花茎を結び付けて使用される。この場合、立設した支柱を円弧状や放射線状に変形させて、この変形させた支柱に生長する花茎を結び付けて誘引しながら整形を行う。この場合、花茎は誘引方向に単純に生長するのではなく、個々の花には癖がそれぞれあり、左右の水平方向にも円弧を描くように生長することが多い。そのため、従来の支柱では花茎の生長力により、植え込み用土に差し込んだ支柱が回転してしまい、花茎の整形がうまくできないことが多かった。
【０００４】
そのため、支柱の回転を防ぐために、図1に示すように複数の支柱３、５を花茎１の周りに挿し込み、テープ等の結束具６などで結束して、支柱が回転するのを防ぐことが行われている。しかしながら、この方法では余分な資材が必要であり、手間もかかる。そのため、支柱の根元部分の先端をＵ字状やＬ字状に折り曲げたり、さらには根元をコの字状に折り曲げたりして、支柱が回転しないような工夫もされているが、このような形状に支柱を折り曲げたのでは、回転するのを防ぐことはできるが、植え込み用土に差し込む際に、折り曲げ部が邪魔になり、差し込み難くなる問題があった。
【考案の概要】
【考案が解決しようとする課題】
【０００５】
本考案の課題は、複数の支柱を用いることなく、一本の支柱でも花茎の生長力により回転するのを防ぐことができ、水苔等の植え込み用土への差し込み作業も容易な支柱を提供することである。
【課題を解決するための手段】
【０００６】
本考案の花卉栽培用支柱は、植え込み用土への差し込み部には、直線状先端部とジグザグ状の折り曲げ部が設けられ、該折り曲げ部において折り曲げ方向と支柱中心線との角度αが２０〜７５°の範囲であることを特徴とする。
【０００７】
上記の支柱において、角度αが３０〜６０°の範囲であることが好ましく、さらに前記折り曲げ部の屈曲点と支柱中心線との距離Ｌが５〜３０ｍｍであることが好ましい。
【０００８】
また、ジグザグ状の折り曲げ部の屈曲点が直線状先端部より離れるに従い、屈曲点と支柱中心線との距離Ｌが大きくなっていることも好ましい。
【０００９】
尚、本考案における折り曲げ方向と支柱中心線方向との角度αとは、図３に示すように、支柱中心線１６と折り曲げた支柱とがなす角度の鋭角のことであり、α1、α2、α3などとして示した角度であり、折り曲げ部の屈曲点１７、１８などと支柱中心線１６との距離Ｌは図３において、Ｌ1、Ｌ2などとして示した距離である。
【考案の効果】
【００１０】
本考案の支柱は、植え込み用土への差し込み部に直線状先端部と特定の角度のジグザグ状の折り曲げ部を設けられており、植え込み用土への差し込みも容易にでき、ジグザグ状の折り曲げ部が支柱の回転を防止しており、ランなどの花卉類の花茎の整形が容易にできるものであり、さらには、花卉類の輸送などにあたっても、花茎をしっかりと支持することができ、整形した姿を維持するとともに、花茎が折れたりする破損も防止できる。
【図面の簡単な説明】
【００１１】
【図１】複数の支柱により、胡蝶蘭の花茎を保持している鉢植えの説明図。
【図２】差し込み部に、直線状先端部とジグザグ状の折り曲げ部が設けられた実施例の説明図。
【図３】図２の差し込み部の拡大説明図。
【図４】折り曲げ部の屈曲点と支柱中心線との距離が、先端部より離れるのに従い大きくなっている実施例の説明図。
【考案を実施するための形態】
【００１２】
本考案の支柱の実施の形態につき、図に基づき以下に説明する。
【００１３】
図１は従来の方法による胡蝶蘭の鉢植えを示し、胡蝶蘭の株元から延びた花茎１の先の部分に複数個の花２が開花している。花茎1を支持する支柱３はその頂部４にて、支柱先方部が下方に向かうように円弧状ないしは放射線状の曲線を描くように曲げられている。花茎１はテープ６にて、下方に向けられた支柱３に、他の支柱５と共に結束され、開花した花２は支柱先方部に沿う形状で綺麗に整形されている。
【００１４】
図１の胡蝶蘭の鉢植えは、花２が開花した状態を示し、最終的に整形されたものである。この整形は、まだ蕾しかつけていない花茎１を、鉢７に差し込んだ支柱３に結び付けて誘引しながら、花を開花させて行われる。この際、前述のように、花茎１は水平方向にも生長し、生長する力により支柱３が回転し、開花した花が正面を向かず意図する姿に整形できない場合がある。そのため、図１に示すように、別に立設した支柱５をテープ等の結束具６により、支柱３と花茎１とを合わせて結束し、支柱３が回転するのを防ぎ、開花した花が正面を向くように整形を行っている。
【００１５】
図２に本考案の実施例の支柱１０を示す。支柱１０では、直線状先端部１１とジグザグ状折り曲げ部１２が、水苔等の植え込み用土への差し込み部となる。この差し込み部と反対側の支柱先方部１４は支柱の頂部１３で円弧ないしは放射線を描くように曲げられ、支柱先方部１４は下方に向けられ、この部分に沿って花茎が結び付けられて整形される。
【００１６】
図３は支柱１０の差し込み部の拡大説明図である。支柱１０の直線状先端部１１は支柱中心線１６に沿っており、この先端部１１に続くジグザグ状折り曲げ部１２では、まず支柱中心線１６と角度α1をなすように折り曲げられ、次に、屈曲点１７で折り返し、支柱中心線１６と角度α2をなすように折り曲げられ、同様に屈曲点１８で折り返し、支柱中心線１６と角度α3をなすように折り曲げられ、次いで屈曲点１９で折り返し、中心線１６に沿うように折り曲げられている。
【００１７】
角度α1、α2、α3などの角度αはそれぞれ同じ値としても、別個の値としてもよいが、すべての角度は２０〜７５°の範囲であり、好ましくは３０〜６０°の範囲である。そして、ジグザグ状折り曲げ部１２の屈曲点１７、１８などと支柱中心線１６との距離Ｌ1、Ｌ2などの距離Ｌは５〜３０ｍｍの範囲が好ましい。角度αが７５°を超えると、植え込み用土への差し込みが難しくなり、２０°未満では支柱の回転を防止する機能が得難くなる。距離Ｌとして、３０ｍｍを超えると、植え込み用土への差し込みが難しくなり、５ｍｍ未満では支柱の回転を防止する機能を発揮し難い。
【００１８】
図４はさらに別の形態を示し、ジグザグ状折り曲げ部１２の屈曲点１７、１８などが直線状先端部１１から離れるに従い、それぞれの屈曲点１７、１８などと支柱中心線１６との距離Ｌ1、Ｌ2などの距離Ｌが大きくなる形態を示している。図４では屈曲点１７、１８、１９、２０、２１と直線状先端部１１から離れるに従い、それぞれの屈曲点と支柱中心線１６との距離Ｌ1、Ｌ2、Ｌ3、Ｌ4、Ｌ5が順に大きくなっている。このような形態では、植え込み用土への差し込みがより容易になっており、差込がし易いばかりでなく、支柱の回転防止作用も発揮できるものである。
【００１９】
本考案の支柱は鉢の植え込み用土への差し込み部の形状に特徴があり、以上説明したようにこの差し込み部をジグザグ状の折り曲げ部としたことで、用土への差込が容易で、かつ支柱の回転を防ぐことができるものである。この差し込み部以外部分の形状については、整形する花茎の生長に応じて、適宜変形させて使用することができる。この場合にも、差込部がしっかりと固定でき、支柱が回転することがないため、支柱の変形操作も容易にできる。また、より長い花茎に適用する場合に、さらに支柱を継ぎ足して使用するなど、種々の使用方法が可能である。
【００２０】
本考案の支柱に用いる素材は特に限定されず、通常の園芸用支柱に用いられる素材と同様なものを用いることができ、樹脂被覆鉄線が好ましく用いられる。
【産業上の利用可能性】
【００２１】
以上、胡蝶蘭などの洋ランを例として説明したが、本考案の支柱は洋ランだけにとどまらず、各種の花卉にも好ましく適用できる花卉栽培用の支柱として有用なものである。
【符号の説明】
【００２２】
１    花茎
２    花
３、５    支柱
４    頂部
６    結束具
７    鉢
１０    支柱
１１    直線状先端部
１２    折り曲げ部
１３    頂部
１４    支柱先方部
１６    支柱中心線
１７、１８、１９、２０、２１    屈曲点
α1、α2、α3    角度
Ｌ1、Ｌ2、Ｌ3、Ｌ4、Ｌ5    距離
【図１】
0003177547.tif 000003
【図２】
0003177547.tif 000004
【図３】
0003177547.tif 000005
【図４】
0003177547.tif 000006